(57)【要約】      （修正有）【課題】集塵機内に配置され集塵機が吸い込んだ塵を収容するためのダスト容器を提供する。【解決手段】本ダスト容器１０は留め具２００を備え、前記留め具を一操作で操作することで、ダスト容器を集塵機２０から取り出し、塵を取り除いた後、集塵機内にセットし直すことが出来、ダスト容器を取り外す、セットする、及び空にする各動作を迅速に手際よく完了できる。【選択図】図１
0003168862.tif 000002
【実用新案登録請求の範囲】
【請求項１】
１対のバックルスロットを備える集塵機内に取り外し可能に配置されたダスト容器であって、
蓋とケースとを備える収容本体と、
前記蓋に設けられ、１対の可動な第１操作部材及び前記第１操作部材間に配する第１弾性部材を備える第１留め具と、を備え、
前記各第１操作部材は、第１留め部材を備え、
前記１対の第１操作部材は、前記第１弾性部材により通常押し付けられる固定位置と、前記第１弾性部材を相対的に圧縮するための解放位置とを有し、
前記解放位置では、前記１対の第１留め部材は前記蓋内に引っ込み、
前記固定位置では、前記１対の第１留め部材は前記蓋から突出し、前記収容本体を前記集塵機にセットした時、前記１対の第１留め部材は前記１対のバックルスロット内に延びる、
ダスト容器。
【請求項２】
前記第１留め具は２つの第１弾性部材を備え、
前記蓋は押付け部を更に備え、
前記２つの第１弾性部材は前記押付け部と前記１対の第１操作部材との間にそれぞれ配置されている請求項１に記載のダスト容器。
【請求項３】
前記蓋は前記ケースに回動可能に取り付けられている請求項１に記載のダスト容器。
【請求項４】
前記蓋は１対の第１スライドシュートを備え、
前記１対の第１留め部材は前記１対の第１スライドシュートに可動に配置されている請求項１に記載のダスト容器。
【請求項５】
前記蓋は前記１対の第１留め部材に対応する１対の第１スライドシュート開口を備え、
前記１対の第１留め部材は前記１対の第１スライドシュート開口を通って前記蓋から突出する請求項１に記載のダスト容器。
【請求項６】
前記１対の第１操作部材はそれぞれ指ロック部を更に備える請求項１に記載のダスト容器。
【請求項７】
前記蓋及び前記ケースに第２留め具が対応して設けられている請求項３に記載のダスト容器。
【請求項８】
前記第２留め具は可動な第２操作部材と第２弾性部材とを備え、
前記第２操作部材は第２留め部材を備え、
前記第２留め部材に対応するノッチが前記ケースに設けられている請求項７に記載のダスト容器。
【請求項９】
前記蓋は第２スライドシュートを備え、
前記第２留め部材は前記第２スライドシュート開口に可動に配置されている請求項８に記載のダスト容器。
【請求項１０】
前記蓋は前記第２留め部材に対応する第２スライドシュート開口を備え、
前記第２留め部材は前記第２スライドシュート開口を通って前記蓋から突出する請求項８に記載のダスト容器。
【考案の詳細な説明】
【技術分野】
【０００１】
本考案は、容器、特に、可動掃除機内で塵を収容するためのダスト容器に関する。
【背景技術】
【０００２】
室内環境の清潔さ及び衛生を保つために、人々は定期的に家の中を片付け、掃除する。
布きれ、モップ、及び集塵機が塵を掃除するために使用される最も一般的な道具である。一般に、集塵機が塵を扱うための最良の道具である。
集塵機の掃除原理は、主に吸引ファンの回転により前記集塵機内に負圧を形成して内方への吸引力を生成することにより、布きれ又はほうきで容易には掃除できない床、カーペット、壁、家具、又は他の面に付着した塵を吸い込みその塵を前記集塵機内のダスト容器に集めることである。
【０００３】
通常の集塵機はユーザーにより操作される必要がある。科学と技術の進展とともに、自動集塵機能を持った掃除ロボットが現在登場している。掃除ロボットは床面上を自動的に進み床面上の塵を除去して人の労力なしに清掃作業を完了する。
【０００４】
掃除ロボットが塵をある時間自動的に集めた後、ダスト容器は大量の塵を収容している。ユーザーは掃除ロボットからダスト容器を取り出し、ダスト容器内の塵を取り除く必要がある。
例えば、従来の掃除ロボットはダスト容器を固定するための留め構造体を備えており、掃除ロボットからダスト容器を取り出すために、先ず掃除ロボットの前記留め構造体を解放する必要がある。
掃除ロボットが外部カバーを更に備えている場合、ダスト容器の取出し動作はより複雑になる。ダスト容器を取り出した後、ダスト容器のカバーを開けないと、塵を取り除けない。
このような複雑で不便な動作の場合においては、ダスト容器を空にする際に、ユーザーは塵に接触し易い。又はダスト容器を外して取り出す時、複雑で不便な取り外し動作とセット動作のためにダスト容器内の塵を床一面に落とす可能性がある。
【考案の概要】
【考案が解決しようとする課題】
【０００５】
上記の問題に鑑みて、本考案は、ユーザーがダスト容器を迅速に手際よく取り外し、セットし、空にすることが出来ないという従来技術の問題を解決するダスト容器を提供する。
【課題を解決するための手段】
【０００６】
本考案に係るダスト容器は集塵機内に取り外し可能に配置される。
【０００７】
この集塵機は１対のバックルスロットを備え、ダスト容器は収容本体と第１留め具とを備える。
【０００８】
前記収容本体は蓋とケースとを備える。前記第１留め具は前記蓋に設けられ、１対の可動な第１操作部材と前記第１操作部材間の第１弾性部材とを備え、前記各第１操作部材は第１留め部材を備える。
【０００９】
前記第１操作部材は前記第１弾性部材により通常押し付けられる固定位置と、前記第１弾性部材を相対的に圧縮するための解放位置とを有し、前記解放位置では、前記第１留め部材は前記蓋内に引っ込み、前記固定位置では、前記第１留め部材は前記蓋から突出し、前記収容本体を前記集塵機にセットした時、前記第１留め部材は前記バックルスロット内に延びる。
【考案の効果】
【００１０】
本考案に係るダスト容器とこれを使用する集塵機との効果は、取り外す動作と取り出す動作がダスト容器に設けられた第１留め具により一体化されているので、ユーザーは複雑な取り外し動作又は取り出す動作による塵との接触がなくダスト容器を容易に取り出すことが出来、従って、ダスト容器を空にする動作を迅速に完了できる。
【図面の簡単な説明】
【００１１】
【図１】本考案の実施形態に係る集塵機内に配置されたダスト容器の概略３次元図である。
【図２】本考案の実施形態に係る集塵機から取り外されたダスト容器の概略３次元図である。
【図３Ａ】本考案の実施形態に係る概略展開図である。
【図３Ｂ】本考案の別の実施形態に係る第１蓋の概略展開図である。
【図４Ａ】本考案の実施形態に係る集塵機に取り付けられた収容本体の概略断面図である。
【図４Ｂ】図４Ａの集塵機から取り出された収容本体の概略断面図である。
【図５】本考案の更に別の実施形態に係る概略３次元図である。
【図６】図５の概略展開図である。
【図７Ａ】本考案の更に別の実施形態に係る開ける前の収容本体の概略断面図である。
【図７Ｂ】図７Ａの収容本体の開けた後の概略断面図である。
【考案を実施するための形態】
【００１２】
本考案のこれら及び他の態様は、添付の図面と好適な実施形態の下記の説明から明らかになるであろう。しかし、それらの変形と変更を本考案の新規の着想の思想と範囲を逸脱することなく行える可能性がある。
添付の図面は本考案の１つ以上の実施形態を例示し、下記の説明と共に本考案の原理を説明する。全図面を通して同一の符号は同一又は同様の要素を示すために使用される。
【実施例】
【００１３】
図１及び図２を参照すると、本考案のダスト容器１０とこれを使用する集塵機２０とによれば、集塵機２０は、これらに限定されないが掃除ロボット、家庭用電気掃除機、又は産業用電気掃除機であってよい。
【００１４】
本考案の下記の実施形態において、本考案を説明するために掃除ロボットを例にとる。
集塵機２０は、ダスト容器１０を収容できるチャンバー４１０が設けられた本体４００を備え、チャンバー４１０は開口４２０を備え、１対のバックルスロット４３０がチャンバー４１０の両側の対応する位置に配置されている。
ダスト容器１０は集塵機２０のチャンバー４１０内に設置したり、チャンバー４１０から取り出したりすることが出来る。
【００１５】
図３Ａ及び図３Ｂを参照すると、本考案のダスト容器１０は収容本体１００と第１留め具２００とを備える。
収容本体１００はケース１２０と、ケース１２０の一方の縁に回動可能に取り付けられた蓋１１０とを備え、蓋１１０はケース１２０を閉じたり、ケース１２０から回転して離したりすることが出来る。
蓋１１０は上蓋１１１と下蓋１１４とにより構成され、受容空間が上蓋１１１と下蓋１１４との間に形成されている。上蓋１１１は１対のガイドスロット１１２を備え、ガイドスロット１１２はほぼＵ字形の断面を有する。１対のガイドスロット１１２は同一の直線上に位置する。また、上蓋１１１の内側面には１対のガイドスロット１１２の間に押付け部１１８が設けられている。
【００１６】
ある距離隔てられた２つの突出したリブ１１５１、１１５２がガイドスロット１１２に対応して下蓋１１４上に設けられている。リブ１１５１、１１５２は移動路である第１スライドシュート１１５を形成する。２つの第１スライドシュート開口１１６が下蓋１１４の両側に第１スライドシュート１１５に対応して設けられている。
【００１７】
第１留め具２００は１対の第１操作部材２１０、１対の第１弾性部材２２０、及び１対の第１留め部材２３０を備える。
第１操作部材２１０はほぼＬ字形であり、対応する第１ガイドスロット１１２にスライド可能に配置され第１スライドシュート１１５内に位置する。指で持つための指ロック部２１２が第１操作部材２１０の上縁に設けられている。バックル部２１３が第１操作部材２１０の底の一方の側に設けられ、押し部２１１が他方の側に設けられている。
【００１８】
第１留め部材２３０は帯形状であり、接続部２３１が第１留め部材２３０に設けられている。第１留め部材２３０はバックル部２１３と接続部２３１を介して結合されている。
【００１９】
第１弾性部材２２０は圧縮変形可能で、本実施形態ではこれに限定されないが圧縮バネであってよい。第１弾性部材２２０の両端はそれぞれ押付け部１１８と押し部２１１とに当接し、第１操作部材２１０を押したり復帰させたりするための弾性力を提供する。
【００２０】
図３Ｂに示す本考案の別の実施形態を参照すると、第１弾性部材２２０は１個であり、上蓋１１１に押付け部１１８が設けられていなくてもよい。第１弾性部材２２０の両端はそれぞれ２つの第１操作部材２１０の押し部２１１に直接当接し、第１弾性部材２２０は２つの第１操作部材２１０の間に位置する。
【００２１】
第１操作部材２１０は第１弾性部材２２０により通常押し付けられる固定位置と、第１弾性部材２２０を相対的に圧縮するための解放位置とを有する。
前記固定位置では、第１留め部材２３０は第１スライドシュート開口１１６を通って蓋１１０から突出する。前記解放位置では、第１留め部材２３０は第１スライドシュート開口１１６を通って蓋１１０内に引っ込む。
【００２２】
図４Ａ及び図４Ｂは収容本体１００を集塵機２０から取り出す方法を例示する。先ず、ダスト容器１０が集塵機２０のチャンバー４１０に入れられている場合を例にとる。
この状態では、２つの第１操作部材２１０は前記固定位置にある。従って、第１留め部材２３０は対応するバックルスロット４３０内に延びて、ダスト容器１０はチャンバー４１０内に固定されており、外すことが出来ない。
例えば、ダスト容器１０がある量の塵を集めた時、ユーザーはダスト容器１０を取り出す可能性がある。
ダスト容器１０を取り出そうとする時、ユーザーは一方の手の親指と中指を使って２つの第１操作部材２１０の指ロック部２１２をつまみ、力を加えて第１操作部材２１０を内方へ前記解放位置まで動かして、第１留め部材２３０がバックルスロット４３０から出て蓋１１０内に引っ込むよう駆動させる。
この時、ダスト容器１０は解放され、ユーザーの親指と中指はまだ指ロック部２１２をつまんでいるので、ユーザーは腕を持ち上げることでダスト容器１０を集塵機２０から取り出すことが出来る。
このようにして、ダスト容器１０の解放動作と取り出し動作を一操作で完了でき、蓋１１０を開けて塵を取り除くことが出来る。
【００２３】
図５及び図６は本考案に係る更に別の実施形態を示す。
上記の実施形態では、ユーザーは解放動作と取り出し動作を一操作で完了できるが、フック（図示せず）をケース１２０と蓋１１０とを開閉するために更に設けてもよい。
第２実施形態では、ユーザーが一操作でダスト容器１０を取り出し、蓋１１０を開けるのを可能にするために、第２留め具３００がダスト容器１０に更に設けられている。
【００２４】
第２留め具３００は第１留め具２００とほぼ同じであり、第２留め具３００の操作方向は第１留め具２００の操作方向に垂直であるので、操作動作は互いに干渉しない。
【００２５】
蓋１１０はケース１２０に枢軸部材１２２により回動可能に取り付けられ、切欠き１２１がケース１２０の回動部と反対側に設けられている。
上蓋１１１に第２ガイドスロット１１３を設ける必要があり、下蓋１１４に第２スライドシュート１１７とこれに対応する第２スライドシュート開口１１９とを設ける必要がある。
【００２６】
第２留め具３００は第２操作部材３１０、第２弾性部材３２０、及び第２留め部材３３０を備える。第２操作部材３１０は第２ガイドスロット１１３にスライド可能に配置されている。第２操作部材３１０の他の詳細構造は第１操作部材２１０とほぼ同じである。
【００２７】
図７Ａ及び図７Ｂを参照すると、図４Ａ及び図４Ｂに示したように解放動作と取り出し動作を完了した後、ユーザーの親指と中指は２つの第１操作部材２１０の指ロック部２１２をまだつまんでいるので、ユーザーの他方の手はケース１２０の適当な位置をつかむことが出来る。
この状態では、第２留め部材３３０は第２スライドシュート開口１１９を通って対応する切欠き１２１内に延びるので、蓋１１０はケース１２０を閉じ、蓋１１０を外すことが出来ない。
次に、ユーザーは人差し指を使って第２操作部材３１０を動かし第２弾性部材３２０を圧縮して、第２留め部材３３０が蓋１１０内に引っ込み切欠き１２１から離れるようにする必要がある。この時、親指、中指、及び人差し指が第１操作部材２１０及び第２操作部材３１０をつまんだままでも、蓋１１０を開けてケース１２０内の塵を取り除くことが出来る。
【００２８】
本考案に係るダスト容器とこれを使用する集塵機との効果は、握り部とバックル手段を解放するための構造体とが第１留め具に一体化され、この第１留め具が収容本体の表面に設けられ、集塵機の開口外に露出しているので、ユーザーはダスト容器内の塵を取り除こうとする時、前記第１留め具を直接操作してダスト容器を集塵機から前記開口を通って取り外すことが出来る。
従って、前記バックル手段を解放する動作を省くことが出来る。集塵機が外部カバーを備える場合、外部カバーを持ち上げる動作も省ける。従って、ダスト容器をつかむ動作とバックル手段を解放する動作を一操作で完了できる。
【００２９】
また、第２留め具と第１留め具とが更に一体化されて、ユーザーが前記第１留め具と第２留め具を同時に操作できるので、ダスト容器を取り出す動作とダスト容器を持ち上げる動作とが一体化される。
このようにして、これらの留め具を操作することでダスト容器を集塵機から取り出し、塵を取り除いた後、ダスト容器を集塵機内にセットし直すことで、ダスト容器を取り外す、セットする、及び空にする各動作を迅速に手際よく完了できることはユーザーにとって便利である。
【符号の説明】
【００３０】
１０    ダスト容器
２０    集塵機
１００  収容本体
１１０  蓋
１１８  押付け部
１２０  ケース
２００  第１留め具
２１０  第１操作部材
２２０  第１弾性部材
２３０  第１留め部材
４３０  バックルスロット
【図１】
0003168862.tif 000003
【図２】
0003168862.tif 000004
【図３Ａ】
0003168862.tif 000005
【図３Ｂ】
0003168862.tif 000006
【図４Ａ】
0003168862.tif 000007
【図４Ｂ】
0003168862.tif 000008
【図５】
0003168862.tif 000009
【図６】
0003168862.tif 000010
【図７Ａ】
0003168862.tif 000011
【図７Ｂ】
0003168862.tif 000012